(57)【要約】【課題】より手もみに近い使用感を表出することができる風呂用噴流ノズル装置の開発を課題とする。【解決手段】風呂用噴流ノズル装置１は、浴槽の側壁を貫通して取り付けられるものであり、ノズル収容部材１０と、コマ体１１と、カバー部材１２、及び給水・給気部材１５を有している。風呂用噴流ノズル装置１では、コマ体１１が回転しつつ、二つの湯水噴出口３８ａ，３８ｂから湯水が噴射される。カバー部材１２は、水流障害物Ａと水流障害物Ｂを有し、両者はコマ体１１の回転中心を通る直線上に配されている。湯水噴出口３８ａ，３８ｂは、約９０度の位置にある。【選択図】図１
2014188225.tif 000002
【特許請求の範囲】
【請求項１】
浴槽の壁面に取り付けられる風呂用噴流ノズル装置であって、回転ノズルと回転ノズルを回転可能に収容するノズル収容部とを有し、前記回転ノズルは、湯水導入口と湯水噴出口及びこの両者を繋ぐ湯水通過流路が設けられたコマ体であって少なくとも２以上の湯水噴出口を有し、湯水噴出口から噴射される水流の力及び／又は湯水通過流路を通過する際に発生するモーメントによって回転ノズルを回転させつつ湯水噴出口から浴槽内に向かって湯水を噴射する風呂用噴流ノズル装置において、
前記湯水噴出口の浴槽側、或いは前記湯水導入口の近傍に水流を妨害する水流障害物があり、当該水流障害物、或いは前記湯水噴出口、或いは前記湯水導入口の少なくともいずれかが浴槽内側から見て回転ノズルの周方向に不均一に分布しており、
回転ノズルの回転に応じて前記湯水噴出口、或いは前記湯水導入口の少なくともいずれかの水流の出入りが前記水流障害物によって妨害されることを特徴とする風呂用噴流ノズル装置。
【請求項２】
湯水通過流路は回転ノズルの回転中心軸に対して傾斜方向に延びるものであり、ノズル収容部の浴槽内側を部分的に封鎖して回転ノズルの脱落を防止するカバー部材を有し、当該カバー部材には回転ノズルの回転中心を通る略直線状の水流障害物があり、湯水噴出口の角度間隔が不均一であることを特徴とする請求項１に記載の風呂用噴流ノズル装置。
【請求項３】
２個の湯水噴出口を有し、各湯水噴出口と回転ノズルの中心を結ぶ直線がなす角度の内の小さい側の角度は、１００度以下であることを特徴とする請求項１又は２に記載の風呂用噴流ノズル装置。
【請求項４】
２個の湯水噴出口を有し、各湯水噴出口と回転ノズルの中心を結ぶ直線がなす角度の内の小さい側の角度は、１００度以上であることを特徴とする請求項１又は２に記載の風呂用噴流ノズル装置。
【請求項５】
水流障害物は、回転ノズルの回転中心を通る鉛直線に対して回転ノズルの回転方向に広く、回転ノズルの反回転方向に狭いことを特徴とする請求項１乃至３のいずれかに記載の風呂用噴流ノズル装置。
【請求項６】
ノズル収容部の浴槽内側を部分的に封鎖して回転ノズルの脱落を防止するカバー部材を有し、当該カバー部材には中心から放射状に広がる水流障害物があり、水流障害物の幅が異なるものが混在していることを特徴とする請求項１乃至５のいずれかに記載の風呂用噴流ノズル装置。
【請求項７】
湯水噴出口の回転方向の幅が、これに垂直方向の幅よりも狭いことを特徴とする請求項１乃至６のいずれかに記載の風呂用噴流ノズル装置。
【請求項８】
請求項１乃至７のいずれかに記載の風呂用噴流ノズル装置が装着された風呂装置において、回転ノズルの回転中心を通る鉛直線領域に水流障害物があることを特徴とする風呂装置。
【発明の詳細な説明】
【技術分野】
【０００１】
本発明は、浴槽内に湯水を噴射する風呂用噴流ノズル装置に関するものである。また本発明は、風呂用噴流ノズル装置が取り付けられた風呂装置に関するものである。
【背景技術】
【０００２】
浴槽の内壁から空気を含んだ湯水を噴射する風呂装置が知られている。この種の風呂装置は、「ジェットバス」と称されており、浴槽の内壁に風呂用噴流ノズル装置が取り付けられている。そして循環ポンプで浴槽内の湯水を吸入し、これを加圧すると共に空気を混入させ、風呂用噴流ノズル装置から浴槽内に噴射する。
「ジェットバス」は、肩凝りや腰痛、運動後の筋肉疲労に効果がある。即ち使用者は、浴槽につかり、風呂用噴流ノズル装置から噴射される湯水を凝りや痛みのある箇所に噴射する。その結果、患部の筋肉や筋がほぐれ、凝りや痛みが緩和する。
【０００３】
ここで旧来の風呂用噴流ノズル装置は、湯水噴出口が固定式であり、風呂用噴流ノズル装置からは、一定の方向にのみ、湯水が噴射されるものであった。
これに対して、自動回転式の風呂用噴流ノズル装置が提案されている。
自動回転式の風呂用噴流ノズル装置は、例えば特許文献１に開示された構造を有するものである。
【０００４】
図１９，２０，２１，２２は、特許文献１に開示された風呂用噴流ノズル装置１００の斜視図及び断面図である。
特許文献１に開示された風呂用噴流ノズル装置１００は、図２０，２１の様にノズル収容部１０１を有し、その中にコマ体１０２が回転自在に配されている。そして当該コマ体１０２に湯水導入口１０３ａ，１０３ｂと湯水噴出口１０５ａ，１０５ｂ及びこの両者を繋ぐ湯水通過流路１０６ａ，１０６ｂが設けられている。
特許文献１に開示された風呂用噴流ノズル装置１００では、図２２の様に、湯水導入口１０３ａ，１０３ｂと、湯水噴出口１０５ａ，１０５ｂと、湯水通過流路１０６ａ，１０６ｂが設けられている。即ち湯水導入口１０３ａ，１０３ｂ等は、２個ずつ設けられている。また一連の流路が二組設けられている。
【０００５】
図２２の様に、湯水導入口１０３ａと、湯水噴出口１０５ａは、浴槽内側から見てずれた位置にあり、湯水通過流路１０６ａは、傾斜方向に形成されている。同様に湯水導入口１０３ｂと、湯水噴出口１０５ｂは、浴槽内側から見てずれた位置にあり、湯水通過流路１０６ｂは、傾斜方向に形成されている。
【０００６】
特許文献１に開示された風呂用噴流ノズル装置１００では、図２２の様に、二つの湯水噴出口１０５ａ，１０５ｂは、均等に配置されている。即ち湯水噴出口１０５ａ，１０５ｂは、１８０度離れた位置にあり、湯水噴出口１０５ａと、湯水噴出口１０５ｂとの距離や角度を右回りに計っても左回りに計っても同じ距離及び角度である。言い換えると、湯水噴出口１０５ａと湯水噴出口１０５ｂは、コマ体１０２の回転中心１０７を通過する直線上にあり、コマ体１０２の回転中心１０７に対して対称の位置にある。
湯水導入口１０３ａ，ｂについても同様であり、両者は均等に配置されていて、距離や角度を右回りに計っても左回りに計っても同じ距離及び角度である。
湯水通過流路１０６ａ，ｂについても同様であり、両者は均等に配置されていて、距離や角度を右回りに計っても左回りに計っても同じ距離及び角度である。
【０００７】
またノズル収容部１０１の前面には、図１９，２０，２１の様にカバー部材１１０が設けられている。カバー部材１１０は、図１９の様に環状の枠１１１と、直線状のコマ支持部１１２によって構成されている。コマ支持部１１２は、内側の中心がコマ体１０２の回転中心１０７と接する。即ちカバー部材１１０は、コマ体１０２の脱落を防止すると共に、コマ体１０２の回転中心１０７を支持するものである。
【０００８】
特許文献１に開示された風呂用噴流ノズル装置１００では、図２２の様に湯水通過流路１０６ａ，ｂは、傾斜方向に形成されているから、湯水は、実線の矢印の様に、斜め方向に向かって噴射される。そのため水流によって湯水通過流路１０６ａ，ｂにモーメントが発生し、コマ体１０２は、破線の矢印の様に回転する。
即ち特許文献１に開示された風呂用噴流ノズル装置１００は、コマ体１０２が自転しつつ湯水噴出口１０５ａ，ｂから湯水を噴射する。
【先行技術文献】
【特許文献】
【０００９】
【特許文献１】特開２０１２−１７０７６９号公報
【発明の概要】
【発明が解決しようとする課題】
【００１０】
特許文献１に開示された風呂用噴流ノズル装置１００によると、噴射位置が回転軌跡を描いて変化するから、患部をもみほぐす効果がある。即ち風呂用噴流ノズル装置１００によると、マッサージ師が行うような手もみに近い使用感が得られる。
しかしながら、市場においては、より手もみに近い使用感が味わえる風呂用噴流ノズル装置の開発が望まれている。
そこで本発明は、従来技術の上記した問題点に注目し、より手もみに近い使用感を表出することができる風呂用噴流ノズル装置の開発を課題とするものである。
【００１１】
本発明者らは、特許文献１に開示された風呂用噴流ノズル装置１００を試作し、実際に浴槽に装着して被検者が使用し、マッサージ師による手もみとの相違を検討した。
その結果、次の相違点が指摘された。
（１）回転速度について
特許文献１に開示された風呂用噴流ノズル装置１００は、コマ体１０２の回転速度が速く、使用者に「振動感」や「たたき感」を感じさせる。
マッサージの手法としては、「振動」「（肩）たたき」「（肩）もみ」「指圧」といったものがある。ここで「振動」や「たたき」も、有効なマッサージ手法の一つであるが、「振動」や「たたき」は、安価なバイブレータによっても実現することができる。
これに対して「もみ」「指圧」は、単なるバイブレータでは実現することができず、需要者が求める使用感である。
ところが特許文献１に開示された風呂用噴流ノズル装置１００の使用感は、「振動感」や「たたき感」に近く、「もみ」「指圧」の施術感とは相違する。
【００１２】
この原因は、前記した様に、コマ体１０２の回転速度が速いためである。即ち特許文献１に開示された風呂用噴流ノズル装置１００では、コマ体１０２の回転速度が速いので、噴流が患部を十分に押し込む前に、噴射位置が移動してしまう。
即ち「もみ」や「指圧」は、マッサージ師が指で筋肉や筋を強く押し、この状態をしばらく維持することによって行われる。
これに対して、風呂用噴流ノズル装置１００では、コマ体１０２の回転速度が速いので、噴流が患部を十分に押し込む前に、噴射位置が移動してしまい、皮膚の表面に衝撃を与えるに過ぎない。そして衝撃が与えられる箇所が変化するので、使用者は「振動」感や、「たたき」感を覚える。
【００１３】
コマ体１０２の回転速度を低下すれば、上記した問題は解消するが、特許文献１に開示された風呂用噴流ノズル装置１００は、後記する理由から回転速度にムラがあり、コマ体１０２の回転速度を低下すると、コマ体１０２の回転が停止してしまう事態が生じてしまう。
【００１４】
（２）回転速度の変化が使用目的に反する
特許文献１に開示された風呂用噴流ノズル装置１００を使用してみると、コマ体１０２の回転速度（自転速度）は一様ではなく、回転角度によって変化することが分かった。そしてこの変化は、使用目的に反するものであるものであった。
即ちジェットバスの使用者が希望するのは、背中の筋肉や筋をほぐすことである。
ここで、人の背中は、図２５の様に背骨１２０があり、その周囲に筋肉や筋が走っている。マッサージ師は、背骨１２０の周囲を丹念にもみほぐすこととなる。従って、湯水噴出口１０５ａ，１０５ｂの位置が、図２６の二点鎖線の円１２１の様に背骨１２０を外れた位置にある時に、回転速度が遅いことが望ましい。
逆に図２７の様に湯水噴出口１０５ａ，１０５ｂの位置が、二点鎖線の円１２１の様に、背骨１２０にかかる位置にある時に、回転速度が早いことが望ましい。
ところが、実際に実験したところ、図２６の様な湯水噴出口１０５ａ，１０５ｂの位置が、背骨１２０を外れた位置にある時に、コマ体１０２の回転速度が速く、図２７の様に背骨に掛かる位置の際にはコマ体１０２の回転速度が遅いものとなっていた。
【００１５】
この理由を検討したところ、湯水噴出口１０５ａ，１０５ｂのレイアウトと、カバー部材１１０のコマ支持部１１２のレイアウトの関係に起因するものであることが判った。
即ち、特許文献１に開示された風呂用噴流ノズル装置１００は、湯水を斜め方向に噴射することによってコマ体１０２に回転力を付与している。従って、湯水の噴射量が多い場合にはコマ体１０２は速く回り、湯水の噴射量が少ない場合にはコマ体１０２の回転速度は遅い。
【００１６】
これに対して、特許文献１に開示された風呂用噴流ノズル装置１００では、コマ体１０２の前にカバー部材１１０があり、コマ体１０２が回転する際に、湯水噴出口１０５ａ，１０５ｂがカバー部材１１０のコマ支持部１１２の後ろを通過する。その際に、湯水噴出口１０５ａ，１０５ｂからの水流が阻害され、コマ体１０２を回転させるモーメントが一時的に低下する。従って、湯水噴出口１０５ａ，１０５ｂがカバー部材１１０のコマ支持部１１２の後ろを通過する際、コマ体１０２はゆっくりと回り、コマ支持部１１２を離れるとコマ体１０２の回転速度が早くなる。
【００１７】
特に特許文献１に開示された風呂用噴流ノズル装置１００では、湯水噴出口１０５ａと湯水噴出口１０５ｂは、コマ体１０２の回転中心を通過する同一直線上にあり、カバー部材１１０についても、コマ体１０２の回転中心を通過する直線に沿っている。
そのため特許文献１に開示された風呂用噴流ノズル装置１００では、二つの湯水噴出口１０５ａと湯水噴出口１０５ｂが、同時にコマ支持部１１２に塞がれる。また特許文献１に開示された風呂用噴流ノズル装置１００では、二つの湯水噴出口１０５ａと湯水噴出口１０５ｂが、同時にコマ支持部１１２から開放される。
そのため特許文献１に開示された風呂用噴流ノズル装置１００では、コマ体１０２が速く回る際の回転速度と、遅く回る際の回転速度の差が大きい。
【００１８】
即ち特許文献１に開示された風呂用噴流ノズル装置１００は、コマ体１０２が図２３（ａ）から（ｈ）の様に時計方向に回転する。そして、図２３（ｂ）のタイミングと、図２３（ｆ）のタイミングのとき、二つの湯水噴出口１０５ａと湯水噴出口１０５ｂが、同時にコマ支持部１１２に塞がれる。従って、この前後の回転位置の際には、湯水噴出口１０５ａと湯水噴出口１０５ｂから噴射される湯水の量は極めて少ないものとなり、この間、コマ体１０２は主として惰性で回転するに過ぎない。
【００１９】
そのため、図２４のグラフに示す様に、コマ体１０２の回転速度は、湯水噴出口１０５ａ，１０５ｂとコマ支持部１１２の相対位置によって大きく変わり、湯水噴出口１０５ａ，１０５ｂがカバー部材１１０のコマ支持部１１２の後ろを通過するのに要する時間が長く掛かる。
【００２０】
これに対して、図２３（ｄ）のタイミングと、図２３（ｈ）のタイミングのときは、二つの湯水噴出口１０５ａと湯水噴出口１０５ｂが、共にコマ支持部１１２から開放される。
そのため、この前後の回転姿勢の際には、湯水噴出口１０５ａと湯水噴出口１０５ｂから噴射される湯水の量が極めて多くなり、この間、コマ体１０２に大きな回転モーメントが掛かって速く回転する。
【００２１】
そのため、図２４のグラフに示す様に、湯水噴出口１０５ａ，１０５ｂが横に並んだ回転姿勢の状態は、短時間で終わってしまう。
【００２２】
ところで、特許文献１の開示された様に、コマ支持部１１２を垂直姿勢にして使用すると、湯水噴出口１０５ａ，１０５ｂの位置が、背骨１２０にかかる位置にある時に、回転速度が遅くなる。即ちコマ支持部１１２を垂直姿勢にして使用すると、コマ支持部１１２は、背骨の方向と一致することとなり、このとき回転速度が遅くなる。
逆に湯水噴出口１０５ａ，１０５ｂが、背骨１２０を外れた位置にある時、即ちコマ体１０２をゆっくりと回転させるべきタイミングのときに、コマ体１０２の回転速度が逆に速くなってしまう。
【００２３】
仮にコマ支持部１１２を水平姿勢にして使用すると、背骨１２０にかかる位置にある時に、回転速度が早くなり、背骨１２０を外れた位置にある時に、回転速度が遅くなるものの、背骨１２０を外れた位置にある時には、噴流がコマ支持部１１２に妨げられて肝心の湯水の噴射量が減少し、心地よさが損なわれる。
【課題を解決するための手段】
【００２４】
上記した知見に基づいて開発された請求項１に記載の発明は、浴槽の壁面に取り付けられる風呂用噴流ノズル装置であって、回転ノズルと回転ノズルを回転可能に収容するノズル収容部とを有し、前記回転ノズルは、湯水導入口と湯水噴出口及びこの両者を繋ぐ湯水通過流路が設けられたコマ体であって少なくとも２以上の湯水噴出口を有し、湯水噴出口から噴射される水流の力及び／又は湯水通過流路を通過する際に発生するモーメントによって回転ノズルを回転させつつ湯水噴出口から浴槽内に向かって湯水を噴射する風呂用噴流ノズル装置において、前記湯水噴出口の浴槽側、或いは前記湯水導入口の近傍に水流を妨害する水流障害物があり、当該水流障害物、或いは前記湯水噴出口、或いは前記湯水導入口の少なくともいずれかが浴槽内側から見て回転ノズルの周方向に不均一に分布しており、回転ノズルの回転に応じて前記湯水噴出口、或いは前記湯水導入口の少なくともいずれかの水流の出入りが前記水流障害物によって妨害されることを特徴とする風呂用噴流ノズル装置である。
【００２５】
本発明の風呂用噴流ノズル装置は、湯水噴出口から噴射される水流の力や、湯水通過流路を通過する際に発生するモーメントによって回転ノズルが回転する。即ち湯水噴出口の開口方向が傾斜する等によって、斜め方向に湯水を噴射し、その噴射力によって回転ノズルを回転させる。あるいは水通過流路の一部を湯水が通過する際にモーメントを発生させて回転ノズルを回転させる。
そして本発明の風呂用噴流ノズル装置では、前記湯水噴出口の浴槽側、或いは前記湯水導入口の近傍に水流を妨害する水流障害物がある。一方、風呂用噴流ノズル装置においては、前記した様に回転ノズルが回転するから、回転ノズルの回転に応じて前記湯水噴出口、或いは前記湯水導入口の少なくともいずれかが前記水流障害物に周期的に近接して水流の出入りが前記水流障害物に妨害される。
ここで本発明の風呂用噴流ノズル装置では、水流障害物、或いは前記湯水噴出口、或いは前記湯水導入口の少なくともいずれかが浴槽内側から見て回転ノズルの周方向に不均一に分布しているから、回転ノズルの回転ムラが少なく、回転ノズルの回転速度を下げることができる。
本発明の風呂用噴流ノズル装置の具体的構成としては、例えば２個の湯水噴出口が回転ノズルの周方向に不均一に分布しており、水流障害物が均一に分布している構成が考えられる。本発明の風呂用噴流ノズル装置では、湯水噴出口の配置レイアウトと、水流障害物の配置レイアウトが相違することとなり、２個の噴射口が同時に閉塞される機会が少ない。
そのためコマ体の回転速度が極端に低下することが無い。即ち本発明によると、コマ体の回転速度のムラが小さくなる。従って、コマ体の回転速度を全体的に遅くすることができる。
【００２６】
請求項２に記載の発明は、湯水通過流路は回転ノズルの回転中心軸に対して傾斜方向に延びるものであり、ノズル収容部の浴槽内側を部分的に封鎖して回転ノズルの脱落を防止するカバー部材を有し、当該カバー部材には回転ノズルの回転中心を通る略直線状の水流障害物があり、湯水噴出口の角度間隔が不均一であることを特徴とする請求項１に記載の風呂用噴流ノズル装置である。
【００２７】
本発明の風呂用噴流ノズル装置は、湯水通過流路は回転ノズルの回転中心軸に対して傾斜方向に延びるものである。
また本発明の風呂用噴流ノズル装置では、湯水噴出口の配置レイアウトと、水流障害物の配置レイアウトが相違することとなり、２個の噴射口が同時に閉塞される機会が少なく、コマ体の回転速度のムラが小さい。そのため、コマ体の回転速度を全体的に遅くすることができる。
【００２８】
請求項３に記載の発明は、２個の湯水噴出口を有し、各湯水噴出口と回転ノズルの中心を結ぶ直線がなす角度の内の小さい側の角度は、１００度以下であることを特徴とする請求項１又は２に記載の風呂用噴流ノズル装置である。
【００２９】
本発明では、２個の湯水噴出口は回転ノズルの回転中心を通る直線上に並ばない。そのため２個の噴射口が同時に閉塞される機会が少ない。
【００３０】
請求項４に記載の発明は、２個の湯水噴出口を有し、各湯水噴出口と回転ノズルの中心を結ぶ直線がなす角度の内の小さい側の角度は、１００度以上であることを特徴とする請求項１又は２に記載の風呂用噴流ノズル装置である。
【００３１】
本発明についても、２個の湯水噴出口は回転ノズルの回転中心を通る直線上に並ばない。そのため２個の噴射口が同時に閉塞される機会が少ない。
【００３２】
請求項５に記載の発明は、水流障害物は、回転ノズルの回転中心を通る鉛直線に対して回転ノズルの回転方向に広く、回転ノズルの反回転方向に狭いことを特徴とする請求項１乃至４のいずれかに記載の風呂用噴流ノズル装置である。
【００３３】
本発明の風呂用噴流ノズル装置では、水流障害物の配置が不均一となる。そのため２個の噴射口が同時に閉塞される機会が少なく、コマ体の回転速度のムラが小さい。そのため、コマ体の回転速度を全体的に遅くすることができる。
【００３４】
請求項６に記載の発明は、ノズル収容部の浴槽内側を部分的に封鎖して回転ノズルの脱落を防止するカバー部材を有し、当該カバー部材には中心から放射状に広がる水流障害物があり、水流障害物の幅が異なるものが混在していることを特徴とする請求項１乃至５のいずれかに記載の風呂用噴流ノズル装置である。
【００３５】
本発明の風呂用噴流ノズル装置においても、水流障害物の配置が不均一となる。そのため噴射口が同時に閉塞される機会が少なく、コマ体の回転速度のムラが小さい。そのため、コマ体の回転速度を全体的に遅くすることができる。
【００３６】
請求項７に記載の発明は、湯水噴出口の回転方向の幅が、これに垂直方向の幅よりも狭いことを特徴とする請求項１乃至６のいずれかに記載の風呂用噴流ノズル装置である。
【００３７】
本発明によると、湯水噴出口が水流障害物によって閉塞されることとなる角度領域が狭くなり、コマ体の回転速度のムラが小さい。
【００３８】
請求項８に記載の発明は、請求項１乃至７のいずれかに記載の風呂用噴流ノズル装置が装着された風呂装置において、回転ノズルの回転中心を通る鉛直線領域に水流障害物があることを特徴とする風呂装置である。
【００３９】
本発明の風呂装置では、背骨の脇に重点的に水流を当てることができ、心地よい。
【発明の効果】
【００４０】
本発明の風呂用噴流ノズル装置は、コマ体の回転速度にむらが少ない。そのためコマ体を低速で回転させることができる。本発明の風呂用噴流ノズル装置を使用すると、「もみ」や「指圧」に近い使用感が得られる。
【図面の簡単な説明】
【００４１】
【図１】本発明の実施形態の風呂用噴流ノズル装置の斜視図である。
【図２】本発明の実施形態の風呂装置の断面斜視図である。
【図３】図１の風呂用噴流ノズル装置の分解斜視図である。
【図４】図１の風呂用噴流ノズル装置の断面図である。
【図５】図１の風呂用噴流ノズル装置で採用するコマ体の正面図である。
【図６】図１の風呂用噴流ノズル装置で採用するカバー部材のコマ支持部の正面図である。
【図７】図６のコマ支持部の正面図であり、回転ノズルの回転中心を通る直線に対して回転ノズルの回転方向側にある部位に網かけ表示をしたものである。
【図８】図６のコマ支持部の正面図であり、回転ノズルの回転中心を通る直線に対して回転ノズルの反回転方向側にある部位に網かけ表示をしたものである。
【図９】（ａ）〜（ｈ）は、図１の風呂用噴流ノズル装置における回転ノズルの回転姿勢変化と、コマ支持部との関係を表した説明図である。
【図１０】図１の風呂用噴流ノズル装置を使用した際の、時間と、回転ノズルの回転姿勢、回転ノズルの回転速度、及び噴流の速度の関係を説明するグラフである。
【図１１】他の実施形態のコマ体の正面図である。
【図１２】さらに他の実施形態のコマ体の正面図である。
【図１３】さらに他の実施形態のコマ体の正面図である。
【図１４】他の実施形態のカバー部材とコマ体の正面図である。
【図１５】さらに他の実施形態のカバー部材とコマ体の正面図である。
【図１６】さらに他の実施形態のカバー部材とコマ体の正面図である。
【図１７】さらに他の実施形態のカバー部材とコマ体の正面図である。
【図１８】カバー部材と、コマ体との関係を示す説明図である。
【図１９】特許文献１に開示された風呂用噴流ノズル装置の斜視図である。
【図２０】特許文献１に開示された風呂用噴流ノズル装置の断面図である。
【図２１】特許文献１に開示された風呂用噴流ノズル装置の分解断面図である。
【図２２】特許文献１に開示された風呂用噴流ノズル装置のコマ体の正面図である。
【図２３】（ａ）〜（ｈ）は、図１９に示す従来技術の風呂用噴流ノズル装置における回転ノズルの回転姿勢変化と、コマ支持部との関係を表した説明図である。
【図２４】図１９に示す従来技術の風呂用噴流ノズル装置を使用した際の、時間と、回転ノズルの回転姿勢、回転ノズルの回転速度、及び噴射流の速度の関係を説明するグラフである。
【図２５】人体の背中の模式図である。
【図２６】背骨と回転ノズルの回転姿勢との関係を説明する説明図である。
【図２７】背骨と回転ノズルの回転姿勢との関係を説明する説明図である。
【発明を実施するための形態】
【００４２】
以下さらに本発明の実施形態について説明する。
本発明の実施形態の風呂用噴流ノズル装置１は、図２の様に、浴槽２の側壁３を貫通して取り付けられるものである。そして浴槽２の側面に取付けられた取水口アダプタ５から図示しない循環ポンプで浴槽２内の湯水を吸入し、加圧して風呂用噴流ノズル装置１から噴射される。
【００４３】
風呂用噴流ノズル装置１は、図３、図４に示すように、ノズル収容部材１０と、コマ体（回転ノズル）１１と、カバー部材１２、及び給水・給気部材１５を有している。
即ち風呂用噴流ノズル装置１は、図３、図４に示すように、浴槽２の側壁３の背面側に配置される給水・給気部材１５と、該給水・給気部材１５の正面側に取り付け固定されるノズル収容部材１０と、該ノズル収容部材１０内に収容されるコマ体１１と、コマ体１１をノズル収容部材１０内に保持しておくカバー部材１２とを備えている。
【００４４】
図３、図４に示すように、給水・給気部材１５は、正面側が開口しかつ背面側が閉鎖された円筒状の外筒部２０と、該外筒部２０に同心状に配置されかつ外筒部２０よりも小径の内筒部２１と、内筒部２１に連通する湯水供給口管部２３と、外筒部２０と内筒部２１との間の空間２８に連通するように外筒部２０に設けられた空気供給口部２５とを備えて樹脂材料により一体成形されたものである。
外筒部２０の正面側端部にはフランジ部３２が設けられている。
湯水供給口管部２３は、外筒部２０の背面側に接続されていて内部の内筒部２１と連通している。湯水供給口管部２３と内筒部２１とはほぼ直角に接続されたエルボ管状を呈している。
また内筒部２１の内面には、オリフィス２６が着脱可能に内嵌されている。
【００４５】
ノズル収容部材１０は、コマ体１１の外周側を覆う円筒状の収容筒部３０を備えている。収容筒部３０の内側の空間は、ノズル収容部１８として機能する。ノズル収容部１８は、一方に向かって（浴槽内側）開放されている。
収容筒部３０は浴槽２の側壁３に設けられた取付孔１３に浴槽２の内面側から挿入され給水・給気部材１５の外筒部２０に螺着されている。また、ノズル収容部材１０は、収容筒部３０の正面側端部に設けられたフランジ部３１を備えている。
そしてノズル収容部材１０のフランジ部３１と、前記した給水・給気部材１５のフランジ部３２によって側壁３をパッキン３３を介して挟持され、風呂用噴流ノズル装置１が側壁３に取付固定されている。
【００４６】
収容筒部３０の背面側端部には、中央部にオリフィス２６よりも大径でかつオリフィス２６に対して同心状の流通孔を有する受け部２７が設けられている。該受け部２７と前記オリフィス２６との間には空気導入用の空間２８が形成されており、オリフィス２６からノズル収容部材１０内に噴射される湯水噴流の負圧によって、空気供給口部２５から供給される空気を外筒部２０と内筒部２１との間の空気導入用の空間２８を介して引き込み、空気が混合された混合噴流として噴射し得るように構成されている。
【００４７】
コマ体１１は、全体として円錐台形状を呈し、ノズル収容部材１０の収容筒部３０内（ノズル収容部１８内）に回転自在に収容されているとともに、オリフィス２６に対して同心状に設けられている。コマ体１１の背面には、オリフィス２６から噴射される噴流が導入される円錐状の凹部３５が形成されている。また、コマ体１１には、図５にも示すように背面側から正面側に連通する噴流孔１６が設けられている。
【００４８】
即ちコマ体１１の表面側（浴槽２に向かう側）には、湯水噴出口３８ａ，３８ｂが設けられている。
一方、前記した裏面側の凹部３５には、湯水導入口４０ａ，４０ｂが設けられている。そして両者は、湯水通過流路４１ａ，４１ｂで結ばれている。即ち、湯水導入口４０ａと湯水噴出口３８ａとが湯水通過流路４１ａで結ばれている。また湯水導入口４０ｂと湯水噴出口３８ｂとが湯水通過流路４１ｂで結ばれている。
【００４９】
ここで、湯水導入口４０ａと湯水噴出口３８ａとは、浴槽２内側から見てずれた位置にあり、湯水通過流路４１ａは傾斜している。
湯水導入口４０ｂと湯水噴出口３８ｂについても同様であり、浴槽２内側から見てずれた位置にあり、湯水通過流路４１ｂは傾斜している。
即ち湯水噴出口３８ａ，３８ｂは、湯水導入口４０ａ，４０ｂに対して反時計回り方向にずれていて、湯水通過流路４１ａ，４１ｂは、背面側から正面側に向かうにつれて反時計回り方向に変位している。
【００５０】
また本実施形態は、湯水噴出口３８ａ，３８ｂは、コマ体１１の軸心回りに約９０度の位置にある。即ち一方の湯水噴出口３８ａと、コマ体１１の回転中心と、他方の湯水噴出口３８ｂのなす角度（小さい側）は、９０度である。
すなわち、二つの湯水噴出口３８ａ，３８ｂの角度間隔、即ち、湯水噴出口３８ａと、コマ体１１の回転中心と、他方の湯水噴出口３８ｂが時計方向になす角度θａは、９０度であり、逆方向の角度θｂは、２７０度である。従って、二つの湯水噴出口３８ａ，３８ｂの間隔は、浴槽２内側から見て不均一である。即ち、二つの湯水噴出口３８ａ，３８ｂは、コマ体（回転ノズル）１１の周方向に不均一に分布しており、二つの湯水噴出口３８ａ，３８ｂは、一部のエリアに集中して設けられている。
【００５１】
裏面側の湯水導入口４０ａ，４０ｂ及び、内部の湯水通過流路４１ａ，４１ｂについても、二つの湯水噴出口３８ａ，３８ｂに準じた位置に偏在している。
【００５２】
コマ体１１の背面はノズル収容部材１０の受け部２７によって背面側から当接支持されているとともに、受け部２７の内周縁は正面側に突設されていて該突設部分が前記凹部３５に内嵌されている。また、コマ体１１の正面の軸心部には凹部６ｂが形成されている。
【００５３】
カバー部材１２は、ノズル収容部材１０のノズル収容部１８の正面側端部に螺着される円環状の取付リング部４５と、該取付リング部４５に直径方向に架設された棒状のコマ支持部４６とを備えて樹脂材料により一体成形されており、取付リング部４５とコマ支持部４６との間の二つの開口部４８が、噴流の湯水噴出口となる。コマ支持部４６の中央部の背面側には、前記凹部６ｂ内に当接する支点部４７が設けられている。該支点部４７は、コマ支持部４６の背面側から突出させた凸部によって構成している。
【００５４】
本実施形態において、カバー部材１２のコマ支持部４６は、図６に示すように特異な形をしている。即ちコマ支持部４６は、正面視が分銅状である。より詳細に説明すると、コマ支持部４６の取付リング部４５との接合部分は、他の部位よりも幅が広く、中心部の幅は狭い。そして両者の側面は、円弧部５１と直線部５２で結ばれている。
本実施形態において、カバー部材１２は、いわゆるバヨネット構造でノズル収容部材１０に取り付けられており、回転方向の取り付け姿勢は任意である。
しかしながら、本実施形態においては、またコマ支持部４６の中心軸５３を、コマ体１１の回転中心を通る鉛直方向中心軸５４に対して僅かに傾斜した姿勢で固定されている。
【００５５】
即ち図６，７，８の様に、コマ支持部４６の中心軸５３は、コマ体１１の回転中心を通る鉛直方向中心軸５４に対して２度から１０度程度、時計回り方向に傾斜している。
そのためコマ支持部４６は、回転ノズル（コマ体１１）の回転中心を通る鉛直方向中心軸５４に対して回転ノズル（コマ体１１）の回転方向に広く、回転ノズルの反回転方向に狭いものとなっている（図７，８）。
【００５６】
本実施形態において、カバー部材１２は、コマ体１１の脱落を防止する機能と、コマ体１１の回転中心を支持する機能を有するものであるが、さらに、水流を妨害する水流障害物としても機能する。
即ちコマ支持部４６の中心領域Ｃ（図６）が、コマ体１１の回転中心を支持する軸受部として機能し、その他の領域Ａ，Ｂが、水流障害物として機能する。即ち本実施形態では、カバー部材１２は、水流障害物Ａと水流障害物Ｂを有し、両者はコマ体１１の回転中心を通る同一直線上に配されている。そのため本実施形態では、水流障害物Ａと水流障害物Ｂは均等に配されている。
なおカバー部材１２は、湯水噴出口３８ａ，３８ｂの浴槽２側にある。即ち本実施形態では、水流障害物Ａと水流障害物Ｂはいずれも湯水噴出口３８ａ，３８ｂの浴槽２側にある。
【００５７】
上記風呂用噴流ノズル装置１の動作について説明すると、図示しない循環ポンプを作動させることで給水・給気部材１５の湯水供給口管部２３に供給された所定流量の湯水は、オリフィス２６で所定圧力となってコマ体１１の背面側の凹部３５内に吐出される。このとき、空気供給口部２５から外筒部２０と内筒部２１との間の空間２８に供給される空気と混合されて混合噴流となり、この混合噴流がさらにコマ体１１の噴流孔１６を通って浴槽２内に噴射される。
【００５８】
この時、噴流孔１６は、背面側の開口である湯水導入口４０ａ，４０ｂと正面側の開口である湯水噴出口３８ａ，３８ｂの開口位置が周方向にずれており、コマ体１１表面に対してひねりを設けているので、噴流孔１６を湯水が通過して浴槽２内に噴射されると、その噴射の反力によってコマ体１１を回転させるモーメントが作用する。そのためコマ体１１が回転しつつ、湯水噴出口３８ａ，３８ｂから湯水が浴槽２内に噴射される。即ち湯水通過流路４１ａ，４１ｂが傾斜しているので、水流が湯水通過流路４１ａ，４１ｂを通過する際にコマ体１１を回転させるモーメントを発生させる。また湯水は、湯水噴出口３８ａ，３８ｂから斜め方向に向かって噴射されるので、その反力によってもコマ体１１が回転する。
コマ体１１（回転ノズル）の回転に応じて湯水噴出口３８ａ，３８ｂがカバー部材１２の水流障害物Ａと水流障害物Ｂに間欠的に近接する。即ちコマ体１１（回転ノズル）の回転に応じて湯水噴出口３８ａ，３８ｂがカバー部材１２の水流障害物Ａと水流障害物Ｂに周期的に近接し、湯水噴出口３８ａ，３８ｂから湯水が出ることを周期的に妨害する。
【００５９】
次に本実施形態の風呂用噴流ノズル装置１と従来技術の風呂用噴流ノズル装置１００の動作の相違について説明する。
本実施形態の風呂用噴流ノズル装置１は、従来技術の風呂用噴流ノズル装置１００に比べて、コマ体１１の回転速度ムラが小さい。
即ち本実施形態の風呂用噴流ノズル装置１は、コマ体１１に二つの湯水噴出口３８ａ，３８ｂが設けられており、当該湯水噴出口３８ａ，３８ｂから湯水が噴射される。またその際の勢いによって、コマ体１１が回転する。
ここで本実施形態の風呂用噴流ノズル装置１では、コマ体１１に設けられた湯水噴出口３８ａ，３８ｂの位置は、コマ体１１の中心軸と一致しない。即ち湯水噴出口３８ａ，３８ｂは、浴槽内側から見てコマ体（回転ノズル）１１の周方向（回転方向）に不均一に分布している。
【００６０】
これに対して、水流障害物となるカバー部材１２のコマ支持部４６は、直線状であり、水流障害物Ａ，Ｂは、円周上に均等に分布している。従って、コマ体１１の回転位置がどの様な角度であったとしても、二つの湯水噴出口３８ａ，３８ｂが同時に水流障害物Ａ，Ｂに覆われることはない。即ち水流障害物Ａ，Ｂによって湯水噴出口３８ａ，３８ｂから湯水が出ることが周期的に妨害されるが、二つの湯水噴出口３８ａ，３８ｂからの水流噴出が同時に妨害されることはない。
【００６１】
そのため、コマ体１１の回転姿勢がどの様な角度であったとしても、最低限の回転モーメントは確保される。
即ち、コマ体１１とコマ支持部４６の水流障害物Ａ，Ｂとの相対位置関係は、図９の模式図で表した様に刻々と変化し、湯水噴出口３８ａ，３８ｂはカバー部材１２の水流障害物Ａと水流障害物Ｂに間欠的（周期的に）に近接する。
【００６２】
即ち、コマ体１１とコマ支持部４６の水流障害物Ａ，Ｂとの相対位置関係は、図９（ａ）の様に、二つの湯水噴出口３８ａ，３８ｂがコマ支持部４６の上部側の水流障害物Ａを挟んで対峙する回転姿勢であると仮定する。この回転姿勢においては、二つの湯水噴出口３８ａ，３８ｂから回転推力が得られるから、コマ体１１は図１０に示す様に、フルスピートで回転することとなる。
そして回転が進むと、同（ｂ）の様に、先行する湯水噴出口３８ｂが、開口領域の中心側に移動し、後方の湯水噴出口３８ａが、水流障害物Ａの裏面側に回りこむ状態となる。
【００６３】
図９（ｂ）の状態においては、後方の湯水噴出口３８ａが水流障害物Ａによって塞がれて水流の噴射が妨害され、先行する湯水噴出口３８ｂだけから湯水が吐出されるから、コマ体１１に掛かる推力が減少し、コマ体１１は、ゆっくりと回転することとなる。
即ち図１０の様に、コマ体１１の回転速度（角度）は、図９（ａ）の状態から同（ｂ）の状態に至る間に次第に降下する。
【００６４】
従って、コマ体１１の回転姿勢が、図９（ａ）の状態から同（ｂ）の状態に至るまでの時間は、従来技術のそれよりも長く掛かる。
一方、湯水噴出口３８ａが水流障害物Ａによって塞がれて水流の噴射が妨害され、先行する湯水噴出口３８ｂだけから湯水が吐出されるから、先行する湯水噴出口３８ｂから噴射される湯水の噴射速度は増加する。
この様に、湯水噴出口３８ｂから噴射される湯水の噴射速度が増加するから、人の背中を湯水が押す力が増す。そして、コマ体１１の回転速度が低下するから、使用者は、強い力でゆっくりと押されることとなり、「もみ」感や「指圧」感を感じることができる。
【００６５】
そしてコマ体１１の回転がさらに進むと、後方の湯水噴出口３８ａが次第にコマ支持部４６の水流障害物Ａを離れ、ついには、図９（ｃ）の様に、二つの湯水噴出口３８ａ，３８ｂが共に、カバー部材１２の開口部４８の位置に至る。この回転姿勢においては、二つの湯水噴出口３８ａ，３８ｂから回転推力が得られるから、コマ体１１は図１０に示す様に、フルスピードで回転することとなる。
しかしながら、フルスピードに達するまでには時間を要するから、図９（ｂ）の状態から同（ｃ）の状態に至るまでの時間は、従来技術のそれよりも長く掛かる。
そのため使用者は、ゆっくりと押されることとなり、「もみ」感や「指圧」感を感じることができる。
【００６６】
さらに回転が進むと、図９（ｄ）の様に、先行する湯水噴出口３８ｂがコマ支持部４６の下方の水流障害物Ｂの裏に回り込むから、コマ体１１に掛かる推力が減少し、コマ体１１は、ゆっくりと回転することとなる。
この状態は、前記した図９（ａ）の状態から同（ｂ）の状態に至るまでの状況と略同一であり、人の背中を湯水が押す力が増すと共に、そして、コマ体１１の回転速度が低下するから、使用者は、強い力でゆっくりと押されることとなり、「もみ」感や「指圧」感を感じることができる。
【００６７】
以後、回転姿勢は、図９（ｄ）から同（ｅ）（ｆ）（ｇ）・・・と進むが、いずれの場合も二つの湯水噴出口３８ａ，３８ｂが同時にコマ支持部４６の水流障害物Ａ，Ｂに覆われることはない。
また湯水噴出口３８ａ，３８ｂから噴射される流速が増加する回転姿勢の際に、むしろコマ体１１の回転速度が低下する。そのため使用者は、強い力でゆっくりと押されることとなり、「もみ」感や「指圧」感を感じることができる。
【００６８】
また本実施形態では、コマ支持部４６が略垂直姿勢であり、背骨１２０（図２７）の方向に沿っているから、背骨に直接噴流が当たることが少ない。そのため、背骨の両側の筋肉や筋が押圧されるから、使用者は心地よい気持ちとなる。
【００６９】
なお、本実施形態では、コマ支持部４６の中心軸５３を、コマ体１１の回転中心を通る鉛直方向中心軸５４に対して僅かに傾斜した姿勢で固定した。この理由は、背骨１２０の周囲の筋肉等に、より長く水流を当てるためである。
即ちコマ体１１から噴射される水流は、浴槽２の内壁に対して斜め方向に噴射される。
仮に、コマ支持部４６の位置に背骨があったと仮定すると、回転姿勢が図９（ｃ）（ｇ）の状態では、噴流は背骨から離れた位置に当たる。そして回転が進むと、噴流による押圧は、背骨を離れた位置から、背骨に近い位置に移り、あたかも、背骨近傍の筋がもみあげらる状態となる。
ここで、有能なマッサージ師は、背骨の側面を強く押して、次の箇所に移る。
本実施形態は、このマッサージ手順を実現するものであり、コマ支持部４６の中心軸５３が、コマ体１１の回転中心を通る鉛直方向中心軸５４に対して僅かに傾斜した姿勢であるから、背骨の近傍がより長く押圧される。
【００７０】
次に、本発明の他の実施形態について説明する。
上記した実施形態では、二つの湯水噴出口３８ａ，３８ｂのなす角度を９０度としたが、この角度は厳密なものではない。
両者の角度は、１８０度以外であればよい。推奨される角度は、６０度から１００度である。
即ち図１１の様に、二つの湯水噴出口３８ａ，３８ｂの成す角度には、小さい側の角度θａと、大きい側の角度θｂがあるが、小さいほうの角度θａは、１００度以下であることが望ましい。
【００７１】
また先の実施形態では、一つの領域に二つの湯水噴出口３８ａ，３８ｂを設けたが、対向する領域の一定範囲内に二つの湯水噴出口３８ａ，３８ｂを設けてもよい。例えば、図１２の様に、一つの湯水噴出口３８ａと回転中心を結ぶ直線と、回転中心を通り、前記した直線と直交する直線を想定し、二つの直線によって、コマ体１１の表面を４つのエリアＡ，Ｂ，Ｃ，Ｄに区分する。
先に示した実施形態は、一つのエリアの境界部分に二つの湯水噴出口３８ａ，３８ｂを配したものであると言える。
これに対して、図１２の様に、一つのエリアの境界と、これら以外のエリアの内部に二つの湯水噴出口３８ａ，３８ｂを設けてもよい。この場合においても、図１２から明らかな様に、二つの湯水噴出口３８ａ，３８ｂが同時に水流障害物たるコマ支持部４６に覆われることはない。
【００７２】
対向する領域の一定範囲内に二つの湯水噴出口３８ａ，３８ｂを設ける場合には、二つの湯水噴出口３８ａ，３８ｂの成す角度θａは、１００度以上であることが望ましい。
【００７３】
また図１３の様に、一つの領域に２個以上の湯水噴出口３８を設けてもよい。
【００７４】
また前記した実施形態では、湯水噴出口３８の分布をコマ体（回転ノズル）１１の周方向に不均一にしたが、他の部位をコマ体１１の周方向に不均一にしても、同様の作用効果が期待できる。
図１４は、コマ支持部５５の一部に曲部５６を設け、水流障害物の配置を浴槽内側から見てコマ体１１の周方向に不均一に分布させたものである。
本実施形態によっても、二つの湯水噴出口３８ａ，３８ｂが同時に水流障害物たるコマ支持部５５に覆われることはない。即ち本実施形態によっても、水流障害物によって湯水噴出口３８ａ，３８ｂから湯水が出ることが周期的に妨害されるが、二つの湯水噴出口３８ａ，３８ｂからの水流噴出が同時に妨害されることはない。
【００７５】
また図１５、図１６に示す様に、水流障害物の形状や大きさを異ならせることによってこれを不均一に分布させるものであってもよい。
図１５に示すカバー部材６０は、直線状のコマ支持部６１を有するものであるが、上方に位置する水流障害物Ａの幅は狭く、下方に位置する水流障害物Ｂは幅が広い。
【００７６】
また図１６に示すカバー部材６５は、３片の水流障害物Ａ，Ｂ，Ｃを有するものである。即ち、図１６に示すカバー部材６５は、３片の水流障害物Ａ，Ｂ，Ｃが等角に配置され、中央で結合されている。そして、３片の水流障害物Ａ，Ｂ，Ｃには、幅が異なるものが混在している。より具体的には、垂直姿勢に配された水流障害物Ａは、他の２片に比べて幅が狭い。
【００７７】
また上記した実施形態では、湯水噴出口３８ａ，３８ｂは、いずれも真円であったが、楕円形や四角形等の他の形状であってもよい。即ち、長径と短径を有するものであってもよい。
ここで、図１７に示す様な楕円形の湯水噴出口６６ａ，６６ｂを採用する場合には、コマ体１１の回転方向が短径となる様に設計することが望ましい。
即ちコマ体１１の回転方向が短径となる様に設計すると、湯水噴出口が水流障害物によって閉塞されることとなる角度領域が狭くなり、コマ体１１の回転速度のムラが小さくなる。
【００７８】
以上、湯水噴出口３８，６６を回転ノズルの周方向に不均一に配置する具体例と、水流障害物Ａ，Ｂ，Ｃを回転ノズルの周方向に不均一に配置する具体例を示したが、湯水導入口側に水流障害物を設け、湯水導入口を周方向に不均一に配置しても、コマ体１１の回転ムラを少なくする効果が期待できる。
【００７９】
また本実施形態の風呂用噴流ノズル装置１は、コマ体１１の回転ムラが少ないので、各部のクリアランスを適度に設定することにより、コマ体１１の回転速度を従来よりも遅くすることができる。
【００８０】
例えば、図１８に示す様に、カバー部材１２と、コマ体１１との隙間Ｗを調節することにより、湯水噴出口から噴射される湯水の封鎖量が変わるので、この距離を適度に設定することによって、コマ体１１の回転速度を所望の回転速度に調節することができる。
【００８１】
またネジ機構等によって、カバー部材１２と、コマ体１１との隙間Ｗを任意に調節することができる構成を採用すれば、使用者が好みで隙間Ｗを調節して、コマ体１１の回転速度を変えることもできる。
【００８２】
以上、説明した実施形態では、コマ体１１の表面側（浴槽に向かう側）に湯水噴出口３８ａ，３８ｂが２個設けられ、コマ体１１の裏面側に湯水導入口４０ａ，４０ｂが２個設けられた構成を例示した。即ち前記した実施形態では、湯水噴出口３８ａ，３８ｂの個数と、湯水導入口４０ａ，４０ｂの個数が等しく、両者の間をそれぞれ独立した湯水通過流路４１ａ，４１ｂで結んでいる。
しかしながら本発明は、この構成に限定されるものではなく、両者の個数が異なっていてもよい。即ち共通の湯水導入口を設けて湯水を導入し、コマ体１１内部に分岐路を設けて複数の湯水噴出口から噴射させる構成を採用してもよい。
【符号の説明】
【００８３】
１  風呂用噴流ノズル装置
１０  ノズル収容部材
１１  コマ体（回転ノズル）
１２，６５  カバー部材
１５  給水・給気部材
１８  ノズル収容部
２５  空気供給口部
３８ａ，３８ｂ  湯水噴出口
４０ａ，４０ｂ  湯水導入口
４１ａ，４１ｂ  湯水通過流路
４６，５５，６１  コマ支持部
６６ａ，６６ｂ  湯水噴出口
Ａ，Ｂ，Ｃ  水流障害物
【図１】
2014188225.tif 000003
【図２】
2014188225.tif 000004
【図３】
2014188225.tif 000005
【図４】
2014188225.tif 000006
【図５】
2014188225.tif 000007
【図６】
2014188225.tif 000008
【図７】
2014188225.tif 000009
【図８】
2014188225.tif 000010
【図９】
2014188225.tif 000011
【図１０】
2014188225.tif 000012
【図１１】
2014188225.tif 000013
【図１２】
2014188225.tif 000014
【図１３】
2014188225.tif 000015
【図１４】
2014188225.tif 000016
【図１５】
2014188225.tif 000017
【図１６】
2014188225.tif 000018
【図１７】
2014188225.tif 000019
【図１８】
2014188225.tif 000020
【図１９】
2014188225.tif 000021
【図２０】
2014188225.tif 000022
【図２１】
2014188225.tif 000023
【図２２】
2014188225.tif 000024
【図２３】
2014188225.tif 000025
【図２４】
2014188225.tif 000026
【図２５】
2014188225.tif 000027
【図２６】
2014188225.tif 000028
【図２７】
2014188225.tif 000029